(57)【要約】【課題】フットレストＦの座部２前方への展開セットと、フットレストＦの座部２の下方への収納セットを可能に成す椅子フットレストのセット・収納構造において、展開セット状態における「座部２の後端からフィットレストＦの先端に至る足伸ばし有効長Ｓ」を大にすると共に、意匠性の向上を図る。【解決手段】フットレストＦは、座部２の前端に横設した支承軸１１に回転移動可能に連結したフットレストレール７にスライド自在に載置セットされると共に、座部２のフレームに、軸端の操作レバーＬを座部２の側方に存在させる操作軸１０を横設し、さらに、操作軸１０とフットレストレール７間に設けたリンクレバー連鎖機構から成るフットレストレール７の回動機構５と、支承軸１１とフットレストレール７間に設けたリンクレバー連鎖機構から成るフットレストのスライド機構６を備え、展開セット状態においてフットレストＦがフットレストレール７の前方部位に前進スライドセットされる構造が特徴である。【選択図】　　図１
2004016608.tif 000002
【特許請求の範囲】
【請求項１】
フットレストの座部前方への展開セットと、該フットレストの該座部の下方への収納セットを可能に成す椅子フットレストのセット・収納構造において、前記フットレストは、前記座部の前端に横設した支承軸に回転移動可能に連結したフットレストレールにスライド自在に載置セットされると共に、前記座部のフレームに、軸端の操作レバーを前記座部の側方に存在させる操作軸を横設し、さらに、前記操作軸と前記フットレストレール間に設けた伸縮自在のリンクレバー連鎖機構から成る前記フットレストレールの回動機構と、前記支承軸と前記フットレストレール間に設けた伸線自在のリンクレバー連鎖機構から成る前記フットレストのスライド機構を備え、前記展開セット状態において前記フットレストが前記フットレストレールの前方部位に前進スライドセットされる構造を特徴とする椅子フットレストのセット・収納構造。
【請求項２】
支承軸と操作軸間のリンクレバー連鎖機構の回動機構が、縮小折りたたみ形態にして、フットレストが座部下側に添設形態で収納可能に構成された請求項１の椅子フットレストのセット・収納構造。
【発明の詳細な説明】
【０００１】
【発明の属する技術分野】
本発明は、椅子に腰をかけた者が足を伸ばして乗せるフットレストを有するフットレストつき椅子において、該フットレストを不使用状態に収納したり使用可能状態に展開セットする「椅子フットレストのセット・収納構造」に関するものである。
【０００２】
【従来の技術】
一般に広く使用されている椅子には、（図６参照）座部２に腰を掛けた者が足を伸ばして乗せて姿勢を一段と楽にするフットレストＦを座部２の前方へのセットと座部２の下方空間への収納を可能にしたフットレストＦ付き椅子４０が普及しており、そのフットレストＦのセット・収納構造は以下のとおり構成されている。
【０００３】
即ち、方形板体のフットレストＦの後端を座部２の前端の支承軸３４に回転自在に連結すると共に、座部２の下方空間に「操作軸１０を横設して、その操作軸１０の軸端にして座部２の側方に突き出す部位に操作レバーＬを一体に設け」さらに、その操作軸１０とフットレストＦの裏側間に「４本のリンクレバー３６・３７・３８・３９から成る四節回転連鎖体」を中間主要部に成すリンクレバー連鎖機構から成るフットレストＦの回動機構３５が設けられている。
【０００４】
そして、フットレストＦを使用しない状態では、図６（Ａ）のように、前記のリンクレバー連鎖機構を折りたたんでフットレストＦを支承軸３４に垂れ下げた姿勢にして座部２の下方空間に収納し、フットレストＦを使用するときは操作レバーＬを手動回転させて操作軸１０を回動させ、その回転作動を回動機構３５を介してフットレストＦに伝達して図６（Ｂ）のように起立回動させ、座部２の前方へフットレストＦを概ね水平姿勢にして起立保持して使用可能状態にセットするように成っている。なお、図中の３は椅子の背もたれ部・４は椅子の脚部である。
【０００５】
【発明が解決しようとする課題】
以上の従来のフットレストＦのセット・収納構造のものは、フットレストＦの不使用状態では座部２の下方空間にフットレストＦと回動機構３５が、垂れ下げ形態で存在して視認可能の状態となるので、美観を尊重する椅子の意匠性を損う不具合がある。
【０００６】
さらに、フットレストＦは支承軸３４への直接連結にして、前記の下方空間への垂れ下げ収納可能の長さサイズに限定されるので、座部２に座した者の脚長サイズによって「座部２の後端からフットレストＦ先端に至る足伸ばし有効長Ｓ」が不足し、フットレストＦによる安息機能が得られないケースがある。
【０００７】
本発明は、以上の従来技術の難点を解消する「椅子フットレストのセット・収納構造」を提供するものである。
【０００８】
【課題を解決するための手段】
以上の技術課題を解決する本発明の「椅子フットレストのセット・収納構造」は「フットレストの座部前方への展開セットと、該フットレストの該座部の下方への収納セットを可能に成す椅子フットレストのセット・収納構造において、前記フットレストは、前記座部の前端に横設した支承軸に回転移動可能に連結したフットレストレールにスライド自在に載置セットされると共に、前記座部のフレームに、軸端の操作レバーを前記座部の側方に存在させる操作軸を横設し、さらに、前記操作軸と前記フットレストレール間に設けた伸縮自在のリングレバー連鎖機構から成る前記フットレストレールの回動機構と、前記支承軸と前記フットレストレール間に設けた伸線自在のリンクレバー連鎖機構から成る前記フットレストのスライド機構を備え、前記展開セット状態において前記フットレストが前記フットレストレールの前方部位に前進スライドセットされる構造」に成っている。
【０００９】
即ち、前記構成の本発明の椅子フットレストのセット・収納構造は、フットレストをフットレストレール上に進退スライド自在に載設し、そのフットレストレールの座部前方への回動移動と連動させて該フットレストレール上のフットレストを前記のスライド機構によって前進スライドさせて使用可能状態にセットし、前記の「足伸ばし有効長Ｓ」を充分に確保すると共に、そのフットレストレールの逆回動収納のとき該フットレストを後退スライドさせることによって椅子の座部下側へコンパクトに収納可能にする構造を特徴としている。
【００１０】
そして、フットレストの前記収納姿勢の一段のコンパクト化を図る技術意図から、前記の構成のセット・収納構造において「支承軸と操作軸間のリンクレバー連鎖機構の回動機構を、縮小折りたたみ形態にして、フットレストが座部下側に添設形態で収納可能」の態様を採択する。
【００１１】
【作用】
前記構成の本発明の「椅子フットレストのセット・収納構造」は椅子の座部の下方空間に収納したフットレストを、前記回動機構によって回動させるとき、その回動機構と自動連動して前記スライド機構が作動してフットレストを前進スライドさせるので、その前進スライド量を適量に設定しておくことによって前記の足伸ばし有効長Ｓが必要にして充分に確保できる。
【００１２】
そして、フットレストを不使用収納状態にするときは、その回動機構とスライド機構が自動連動してフットレストを座部の下方空間へ収納可能に後退スライドさせるので、フットレストの収納セットが簡潔円滑にできる。
【００１３】
【発明の実施の形態】
本発明１実施例の「椅子フットレストのセット・収納構造」を図１〜図５を参照して説明する。即ち（図１参照）座部２を主要部に成す椅子１において、座部２に腰を掛けた使用者が足を伸ばして載せて休息できる板状のフットレストＦを座部２の下方空間に収納したり、座部２の前方へ展開セットして使用可能状態に成す「フットレスＦのセット・収納構造」を備えたものにおいて、この実施例のもののフットレストＦは、座部２の前端部位に横設固定した支承軸１１に回転自在に支承したフットレストレール７に載設されて座部２の前後方向へスライド移動可能に構成されている。
【００１４】
そして、座部２の左右両側を枠囲いする座部フレーム９に「軸端の操作レバーＬを座部２の側方に突き出す操作軸１０が横設され、この操作軸１０と前記のフットレストレール７の間に伸縮自在のリンクレバー連鎖体から成るフットレストＦの回動機構５を備え、さらに支承軸１１とフットレストＦの支承点１２間には、伸縮自在のリングレバー連鎖体から成るフットレストＦのスライド機構６」が設けられ、この回動機構５とスライド機構６によってフットレストＦのセット・収納構造が構成されている。
【００１５】
そして、座部２の座した者が操作レバーＬを約１００°手動回転操作することによって、図１（Ａ）〜（Ｃ）のように回動移動してフットレストＦが座部２の前方へ「座部２と概ね平行な姿勢を呈して足のせ可能状態に起立セット」されると同時に、若干量のストロークで前方スライドして前死点停止し、座部２の後端からフットレストＦの先端に至る「足伸ばし有効長Ｓ」が大に設定される。
【００１６】
そして、その状態から操作レバーＬを逆操作することによって逆転回動して図１（Ａ）に示すフットレストＦ不使用状態の「フットレストＦを座部２の下側へコンパクトに添設形態にして収納セット」ができる。以上の構造に成っている。
【００１７】
以下、その回動機構５とスライド機構６の構造と作動を詳細説明する。即ち、回動機構５は（図１・図２参照）操作軸１０に固定されて操作軸１０を回転支点とする第１リンクレバー２１と、座部フレーム９に固定した支承点１３を回転支点とするＬ字形の第３リンクレバー２３と、この第１リンクレバー２１と第３リンクレバー２３間に連結した第２リンクレバー２２と、第３リンクレバー２３の先端の連結点１４とフットレストレール７の基端部位の連結点１５に連結した第４リンクレバー２４、の４本のリンクレバー２１〜２４を組合せたリンク連鎖体にして、図２（Ｄ）のように座部フレーム９の対向辺のそれぞれの内側に対向一対に設けられている。
【００１８】
そして、図２（Ａ）のフットレストＦの収納セット状態では４個のリンクレバー２１〜２４が長さを縮小して単一板体状に折りたたみセットできる形態を有している。
【００１９】
即ち、図２（Ａ）に示すフットレストＦの収納セット状態では、フットレストＦを載設したフットレストレール７はフットレストＦを後死点位置に載せたまま座部フレーム９の空間に折り込まれると共に、４個のリンクレバー２１〜２４の連鎖体は縮小形態と成って、座部フレーム９の内部空間内に折りたたみ収納される形態となる。
【００２０】
そして、操作レバーＬの図示矢印方向回転操作によって操作軸１０が回転作動すると、回動機構５のリンク連鎖体が伸長作動して第４リンクレバー２４の連結点１５を押し上げて、図２（Ｂ）から図２（Ｃ）のようにフットレストレール７を押し上げて座部２の前方に展開セットする。そして、その展開セット状態から操作レバーＬを逆転操作すると図２（Ａ）の収納セット状態に復帰し、以下その展開セットと収納セットが反復できる。
【００２１】
なお、回動機構５の作動によって前記展開セット姿勢を呈したフットレストＦが足のせ荷重を受けても、その荷重は回動機構５を逆作動させるに足りないので、フットレストＦの前記展開セット姿勢が安定維持される。
【００２２】
続いて、図３〜図５を参照してスライド機構６の構造と作動を詳述する。即ち、フットレストレール７は板状のフットレストＦを台車状に前進後退スライド自在に載置する２本のレール形態にして（図２（Ｄ）参照）この２本のフットレストレール７は枕木バー２９で一体に連結されると共に、後端が固定軸の支承軸１１に回転自在に支承連結されている。
【００２３】
そして、２本のフットレストレール７の中間には（図４参照）支承軸１１に固着した支承軸アーム２５と枕木バー２９の間には「支承軸アーム２５の先端に回動自在に連結した第５リンクレバー２６」と「一側のフットレストレール７から他側のフットレストレール７に向けて突設した支持アーム３０に中間ポイントを回転自在に連結して一端を第５リンクレバー２６に回転自在に連結した第６リンクレバー２７」と「前端を枕木バー２９の支承点１２に回転自在に連結し、かつ、後端を第６リンクレバー２７に回転自在に連結した第７リンクレバー２８」のリンクレバー連鎖体によってスライド機構６が構成されている。
【００２４】
そして、第５リンクレバー２６は（図４（Ａ）（Ｂ）参照）端部に立設したブラケット３２を介して支持軸アーム２５と連結されており、第６リンクレバー２７はフットレストレール７から伸長した保持アーム３０に中間支点３１を回転自在に連結しており、中間支点３１を中心として回転作動して第７リンクレバー２８との交差角θを変換して、第７リンクレバー２８によるフットレストＦの前進後退を可能にするレバー機構に成っている。
【００２５】
以上のスライド機構６は以下のように作動する。即ち（図４（Ａ）（Ｂ）参照）前記の回転機構５によってフットレストレール７が支承軸１１を回転支点として図示矢印Ｒ方向の回転作動をスタートすると、固定姿勢の支承軸アーム２５に連結されてフットレストレール７に装着されている第５リンクレバー２６は支承軸アーム２５との連結点１１Ａを中心とする該Ｒ方向の回動力を受け、その回動モーメントの分力による「図面上左方向の移動力Ｐ」を生ずる。
【００２６】
かくして、その移動力Ｐによってスライド機構６のリンクレバー連鎖体が連動して第７リンクレバー２８の先端と枕木バー２９間に図示矢印のスライド荷重Ｘが生じて該リンクレバー連鎖体が拡張作動すると共に、そのスライド荷重ＸによってフットレストＦがフットレストレール７上をＸ印方向にスライド移動作動する。
【００２７】
かくして（図５参照）回動機構５によるフットレストレール７の回動作動の進行に比例してフットレストＦがフットレストレール７上を前方に順次スライド移動させ、フットレストＦが略水平姿勢となる図３（Ｃ）・図５（Ｂ）の回動終点においてフットレストＦがフットレストレール７の前死点に到達して停止し、前記の「大なる足伸ばし有効長Ｓ」を確保した状態に固定セットされる。
【００２８】
そして、操作ハンドルＬの逆転操作による回動機構５の前記逆転回動によって、フットレストレール７も前記作動の逆作動によってスライド後退して原位置に復帰し、座部フレーム９内（図３（Ａ）の状態）にリターンして収納セットされる。以上の実施例のものは前記の作用がある。
【００２９】
なお、本発明の「椅子フットレストのセット・収納構造」は前記の実施例に限定されず、回動機構５のリンクレバー連鎖体は伸縮自在形態であれば良く、図１実施例のようにフットレストＦを必ずしも座部２の下側へ添設形態で折りたたみ収納する必要はなく、例えば支承軸１１に対して４５°程度の傾斜姿勢で収納する前記添設形態の近似形態でも良い。
【００３０】
【発明の効果】
以上の説明のとおり本発明の「椅子フットレストのセット・収納構造」は、フットレストを使用するときの「足伸ばし有効長」が大に確保できるので、フットレスト性能を一段と向上し、当該椅子使用者の座り心地・安息性を向上する。
【００３１】
そして、不使用状態のフットレストを座部下側への添設形態または近似添設形態にして収納セットするので、フットレスト存在による椅子の視認美観を損うおそれが極めて少く「フットレストつき椅子」の意匠性能を向上する。以上の諸効果がある。
【図面の簡単な説明】
【図１】本発明の「椅子フィットレストのセット・収納構造」の１実施例を示し、（Ａ）はフットレストの収納セット状態の側面図、（Ｂ）はフットレストの作動中間位置の側面図、（Ｃ）はフットレストの展開セット状態の側面図
【図２】図１実施例の回動機構と、その作動状態を示し、（Ａ）はフットレストの収納セット状態の側面図、（Ｂ）はフットレストの作動中間位置の側面図、（Ｃ）はフットレストの展開セット状態の側面図、（Ｄ）は回動機構の配設状態を示す平面図
【図３】図１実施例のスライド機構と、その作動状態を示し、（Ａ）はフットレストの収納セット状態の側面図、（Ｂ）はフットレストの作動中間位置の側面図、（Ｃ）はフットレストの展開セット状態の側面図
【図４】図１実施例のスライド機構と、その作動状態を示し、（Ａ）は図３（Ａ）のＥ視底面図、（Ｂ）は（Ａ）の部分側面図と作動説明図
【図５】図１実施例のスライド機構と、その作動状態を示し、（Ａ）は図３（Ｂ）のＥ視平面図、（Ｂ）は図３（Ｃ）のＥ視平面図
【図６】従来の「椅子フィットレストのセット・収納構造」を示し、（Ａ）は構造説明の側面図、（Ｂ）は作動説明の側面図
【符号の説明】
１　本発明の椅子
２　座部
５　回動機構
６　スライド機構
７　フットレストレール
９　座部フレーム
１０　操作軸
１１　支承軸
１２　支承点
１５　連結具
２１　第１リンクレバー
２２　第２リンクレバー
２３　第３リンクレバー
２４　第４リンクレバー
２５　第５リンクレバー
２６　第６リンクレバー
２７　第７リンクレバー
２９　枕木バー
３０　支持アーム
４０　従来の椅子
Ｆ　フットレスト
Ｌ　操作レバー
Ｓ　足伸ばし有効長
【図１】
2004016608.tif 000003
【図２】
2004016608.tif 000004
【図３】
2004016608.tif 000005
【図４】
2004016608.tif 000006
【図５】
2004016608.tif 000007
【図６】
2004016608.tif 000008